(57)【要約】【課題】畦８の端から１条目と２条目及び３条目と４条目の隣接する２条の同時植付けを可能となす。【解決手段】各苗ポット１０の下部にリンクプレート２２を嵌合し、その各リンクプレート２２を連結ピン２３により連結すると共に、該リンクプレート２２に支点ピン３２を介して弁体３０を開閉可能に枢支して、多数の苗ポット１０を無端状に連結してなるポット連体２４を形成し、該ポット連体２４はスプロケット２８、２９を介して左右の植付け開孔器１２、１３の昇降動作に関連させて回転駆動し、前記ポット連体２４を、前記操縦ハンドル６の上方からその一側に張り出すように機体左右方向に長い長円形状に張設し、該ポット連体２４の下方に長円状のレール３１を設けた構成。【選択図】図９
2004201697.tif 000002
【特許請求の範囲】
【請求項１】
エンジン（１）及び走行ミッションケース（２）等を搭載する機体フレーム（３）を、左右前輪（４）左右後輪（５）の四輪で支持すると共に、後部に操縦ハンドル（６）を備え、四輪歩行型の走行機体を構成し、玉ねぎの苗（７）を４条植付ける畦（８）を四輪（４）（５）で跨いでそれに沿って走行しながら、給苗部（９）の各苗ポット（１０）の下部にリンクプレート（２２）を嵌合し、その各リンクプレート（２２）を連結ピン（２３）により連結すると共に、該リンクプレート（２２）に支点ピン（３２）を介して弁体（３０）を開閉可能に枢支して、多数の苗ポット（１０）を無端状に連結してなるポット連体（２４）を形成し、該ポット連体（２４）は、前記操縦ハンドル（６）の内側にて垂直に立設する駆動軸（２５）と従動軸（２７）の平行な垂直２軸間に係合体である駆動及び従動スプロケット（２８）（２９）を介して植付けミッションケース（１８）から駆動軸（２５）に伝えられる動力でポット連体（２４）を植付け部（１１）の左右の植付け開孔器（１２）（１３）の昇降動作に関連させて回転駆動し、前記ポット連体（２４）を、前記操縦ハンドル（６）の上方からその一側に張り出すように機体左右方向に長い長円形状に張設し、該ポット連体（２４）の下方に長円状のレール（３１）を設けると共に、機体後部の給苗部（９）に設けられた前記多数の円筒形の苗ポット（１０）へ作業者が手作業で苗（７）を１株ずつ投入して行くことにより、その給苗部（９）下方の植付け部（１１）に各条の隣接する２条の条間と同じ間隔で左右に並べて設けられ植付け部（１１）の一側に設けられて、植付けミッションケース（１８）から伝えられる動力で駆動される駆動機構（１９）と、その駆動機構（１９）と反対側の植付け部（１１）の一側に設けられるガイドレール（２０）によって、縦長の楕円軌跡（２１）で昇降させ、くちばし形の左右の植付け開孔器（１２）（１３）を下降時に閉じ、上昇時に開き、左右の植付け開孔器（１２）（１３）にその最上昇位置で受入れた苗（７）の畦（８）面への植付けを行うようにした植付け開孔器（１２）（１３）へ給苗部（９）の各苗ポット（１０）から、前記弁体（３０）が下方に開き自動的に苗（７）が落とされ、左右の植付け開孔器（１２）（１３）による隣接する２条同時の植付けが行われ、さらに機体後部下方の覆土部（１４）に設けられた１条分が左右一対で２条分の覆土輪（１５）（１６）により、畦（８）に植付けられた苗（７）への覆土及び鎮圧が行われるようにしたことを特徴とする移植機。
【請求項２】
それぞれ連結した苗ポット（１０）を長円状に形成してなるポット連体（２４）を回転駆動しながら、苗ポット（１０）に苗（７）を挿入して、一つの連続したポット連体（２４）の移動方向に向かって左右前後で交互に並設配置開口した複数の途切れ部で複数の苗を同時に複数の植付け開孔器（１２）（１３）内に投入し、該植付け開孔器（１２）（１３）を畝中へ移動して開いて移植する野菜移植機において、該ポット連体（２４）は多数個の苗ポット（１０）…と該苗ポット（１０）…を連結するポット連結部により構成し、該多数個の苗ポット（１０）…はポット連結部の搬送方向の前後両側にリンクプレート（２２）…の連結部を配置して隣接する苗ポット（１０）…連結部間において一方のリンクプレート（２２）…と他方のリンクプレート（２２）…とを平面視重複配置し、該一方のリンクプレート（２２）…および他方のリンクプレート（２２）…の連結部上方より連結ピン（２３）…を挿入して互いに回動自在に枢結され、機体フレーム（３）上の左右両側に配置した駆動スプロケット（２８）と従動スプロケット（２９）にリンクプレート（２２）上方の円筒形の苗ポット（１０）…の円筒部が係合して巻回し一連の無端体とした長円状に連結し、一連の無端長円状の左右方向の直線部分が前記各スプロケット（２８）（２９）の前後に構成され、各苗ポット（１０）…の苗ポット（１０）…連結部間の連結箇所である一方のリンクプレート（２２）…および他方のリンクプレート（２２）…の下方には、前記多数個の苗ポット（１０）…の下面を蓋する弁体（３０）…を設け、該弁体（３０）の回動支点である回動支持部としての支点ピン（３２）、該回動支持部に挿入される支点ピン（３２）を搬送方向と直交する水平方向に枢支し、該ポット連体（２４）の搬送方向前側に弁体（３０）の前部を枢支し、該それぞれの弁体（３０）…の後部には左右側の一側にこの弁体（３０）を一つの連続した長円形状のレール（３１）の搬送方向前後に開口した複数の途切れ部（３４ａ）（３４ｂ）で同時に開閉させるためのローラー（３３）を搬送方向と同一方向に揺動させ且つローラ（３３）を前記弁体（３０）に左右ローラ（３３ａ）（３３ｂ）として交互に付設し、左右方向に長い前記レール（３１）上を旋回転動するようにして移植することを特徴とする野菜移植機。
【請求項３】
長円状に連結した苗ポット（１０）を前記操縦ハンドル（６）の内側にて垂直に立設する駆動軸（２５）と従動軸（２７）の平行な垂直２軸間に係合体である駆動及び従動スプロケット（２８）（２９）を介して前記ポット連体（２４）を、前記操縦ハンドル（６）の上方からその一側に張り出すように、機体左右方向に長い長円形状に張設し、長円状に連結してなるポット連体（２４）を回転駆動しながら、苗ポット（１０）に苗（７）を挿入して、一つの連続した長円形状のレール（３１）の苗ポット（１０）の移動方向に向かって左右前後に並設配置開口した複数の途切れ部で複数の苗を同時に複数の植付け開孔器（１２）（１３）内に投入し、該植付け開孔器（１２）（１３）を畝中へ移動して開いて移植する野菜移植機において、該ポット連体（２４）は多数個の苗ポット（１０）とポット連結部により構成し、該多数個の苗ポット（１０）はリンクプレート（２２）を連結することで無端状にされたポット連体（２４）とされ、操縦ハンドル（６）の上方からその一側に張出すように、駆動スプロケット（２８）と従動スプロケット（２９）を介して機体左右方向に長い長円形状に張設し、各苗ポット（１０）を操縦ハンドル（６）の後方に位置する作業者の前から前記植付け部（１１）の左右の植付け開孔器（１２）（１３）の上方を通過させて該左右の植付け開孔器（１２）（１３）の上方の給苗位置にそれぞれ苗（７）が入った苗ポット（１０）が移動したとき、その給苗位置の２本の苗ポット（１０）の間に２本の苗ポット（１０）が配設されるピッチで回転駆動し、該苗ポット（１０）の底部に弁体（３０）を設け、該弁体（３０）は、回動支点である支点ピン（３２）を介して回動自在に連結して、前記ポット連体（２４）の下方にそのポット連体（２４）に対応する長円状のレール（３１）を設けると共に、前記各弁体（３０）にレール（３１）との接触部である二種類のローラ（３３）を交互に設け、前記レール（３１）は苗搬送時には、前記各弁体（３０）を接触部であるローラ（３３）を介して閉保持し、植付け開孔器（１２）（１３）の上方に対応する二箇所で、前記植付け開孔器（１２）（１３）に給苗する位置のみ途切れ、且つ、前記レール（３１）の途切れ部に対応して左右の植付け開孔器（１２）（１３）による隣接する２条同時の植付けが行われ、前記各植付け条で選択給苗を行うように、前記各弁体（３０）を開くことを特徴とする移植機。
【発明の詳細な説明】
【技術分野】
【０００１】
本発明は、例えば玉ねぎの苗を４条用の畦に２条ずつ往復で植付ける移植機に関する。
【背景技術】
【０００２】
従来、１条用のロータリーポットと植付け開孔器を２条分２組、走行機体に装備し、苗を２条同時に植付ける移植機があった。
【０００３】
【特許文献１】特開平１１−１８７７１１号公報
【発明の開示】
【発明が解決しようとする課題】
【０００４】
ロータリポットを並設した場合、各ロータリポットから植付け開孔器への給苗位置の間隔が広くなるため、端から１条目と２条目及び３条目と４条目の隣接する２条の同時植付けは行い得ず、端から１条目と３条目及び２条目と４条目の同時植付けが行われているが、端から１条目と２条目及び３条目と４条目の隣接する２条の条間が安定しないため、その隣接する２条を同時に収穫する収穫機での作業が極めて困難になる。また作業者から各ロータリポットへの給苗位置も遠くなり、短株間移植や高速移植に対応し切れず、作業能率が上がり難い等の問題があった。
【課題を解決するための手段】
【０００５】
上記課題を解決するため、本発明は次のようなものとなしている。
即ち、第１の発明は、請求項１に記載したように、エンジン１及び走行ミッションケース２等を搭載する機体フレーム３を、左右前輪４左右後輪５の四輪で支持すると共に、後部に操縦ハンドル６を備え、四輪歩行型の走行機体を構成し、玉ねぎの苗７を４条植付ける畦８を四輪４５で跨いでそれに沿って走行しながら、給苗部９の各苗ポット１０の下部にリンクプレート２２を嵌合し、その各リンクプレート２２を連結ピン２３により連結すると共に、該リンクプレート２２に支点ピン３２を介して弁体３０を開閉可能に枢支して、多数の苗ポット１０を無端状に連結してなるポット連体２４を形成し、該ポット連体２４は、前記操縦ハンドル６の内側にて垂直に立設する駆動軸２５と従動軸２７の平行な垂直２軸間に係合体である駆動及び従動スプロケット２８、２９を介して植付けミッションケース１８から駆動軸２５に伝えられる動力でポット連体２４を植付け部１１の左右の植付け開孔器１２、１３の昇降動作に関連させて回転駆動し、前記ポット連体２４を、前記操縦ハンドル６の上方からその一側に張り出すように機体左右方向に長い長円形状に張設し、該ポット連体２４の下方に長円状のレール３１を設けると共に、機体後部の給苗部９に設けられた前記多数の円筒形の苗ポット１０へ作業者が手作業で苗７を１株ずつ投入して行くことにより、その給苗部９下方の植付け部１１に各条の隣接する２条の条間と同じ間隔で左右に並べて設けられ植付け部１１の一側に設けられて、植付けミッションケース１８から伝えられる動力で駆動される駆動機構１９と、その駆動機構１９と反対側の植付け部１１の一側に設けられるガイドレール２０によって、縦長の楕円軌跡２１で昇降させ、くちばし形の左右の植付け開孔器１２、１３を下降時に閉じ、上昇時に開き、左右の植付け開孔器１２、１３にその最上昇位置で受入れた苗７の畦８面への植付けを行うようにした植付け開孔器１２、１３へ給苗部９の各苗ポット１０から、前記弁体３０が下方に開き自動的に苗７が落とされ、左右の植付け開孔器１２、１３による隣接する２条同時の植付けが行われ、さらに機体後部下方の覆土部１４に設けられた１条分が左右一対で２条分の覆土輪１５、１６により、畦８に植付けられた苗７への覆土及び鎮圧が行われるようにしたことを特徴とするものである。
【０００６】
また第２の発明は、請求項２に記載したように、それぞれ連結した苗ポット１０を長円状に形成してなるポット連体２４を回転駆動しながら、苗ポット１０に苗７を挿入して、一つの連続したポット連体２４の移動方向に向かって左右前後で交互に並設配置開口した複数の途切れ部で複数の苗を同時に複数の植付け開孔器１２、１３内に投入し、該植付け開孔器１２、１３を畝中へ移動して開いて移植する野菜移植機において、該ポット連体２４は多数個の苗ポット１０…と該苗ポット１０…を連結するポット連結部により構成し、該多数個の苗ポット１０…はポット連結部の搬送方向の前後両側にリンクプレート２２…の連結部を配置して隣接する苗ポット１０…連結部間において一方のリンクプレート２２…と他方のリンクプレート２２…とを平面視重複配置し、該一方のリンクプレート２２…および他方のリンクプレート２２…の連結部上方より連結ピン２３…を挿入して互いに回動自在に枢結され、機体フレーム３上の左右両側に配置した駆動スプロケット２８と従動スプロケット２９にリンクプレート２２上方の円筒形の苗ポット１０…の円筒部が係合して巻回し一連の無端体とした長円状に連結し、一連の無端長円状の左右方向の直線部分が前記各スプロケット２８、２９、の前後に構成され、各苗ポット１０…の苗ポット１０…連結部間の連結箇所である一方のリンクプレート２２…および他方のリンクプレート２２…の下方には、前記多数個の苗ポット１０…の下面を蓋する弁体３０…を設け、該弁体３０の回動支点である回動支持部としての支点ピン３２、該回動支持部に挿入される支点ピン３２を搬送方向と直交する水平方向に枢支し、該ポット連体２４の搬送方向前側に弁体３０の前部を枢支し、該それぞれの弁体３０…の後部には左右側の一側にこの弁体３０を一つの連続した長円形状のレール３１の搬送方向前後に開口した複数の途切れ部３４ａ、３４ｂで同時に開閉させるためのローラー３３を搬送方向と同一方向に揺動させ且つローラ３３を前記弁体３０に左右ローラ３３ａ、３３ｂとして交互に付設し、左右方向に長い前記レール３１上を旋回転動するようにして移植することを特徴とするものである。
【０００７】
また第３の発明は、請求項３に記載したように、長円状に連結した苗ポット１０を前記操縦ハンドル６の内側にて垂直に立設する駆動軸２５と従動軸２７の平行な垂直２軸間に係合体である駆動及び従動スプロケット２８、２９を介して前記ポット連体２４を、前記操縦ハンドル６の上方からその一側に張り出すように、機体左右方向に長い長円形状に張設し、長円状に連結してなるポット連体２４を回転駆動しながら、苗ポット１０に苗７を挿入して、一つの連続した長円形状のレール３１の苗ポット１０の移動方向に向かって左右前後に並設配置開口した複数の途切れ部で複数の苗を同時に複数の植付け開孔器１２、１３内に投入し、該植付け開孔器１２、１３を畝中へ移動して開いて移植する野菜移植機において、該ポット連体２４は多数個の苗ポット１０とポット連結部により構成し、該多数個の苗ポット１０はリンクプレート２２を連結することで無端状にされたポット連体２４とされ、操縦ハンドル６の上方からその一側に張出すように、駆動スプロケット２８と従動スプロケット２９を介して機体左右方向に長い長円形状に張設し、各苗ポット１０を操縦ハンドル６の後方に位置する作業者の前から前記植付け部１１の左右の植付け開孔器１２、１３の上方を通過させて該左右の植付け開孔器１２、１３の上方の給苗位置にそれぞれ苗７が入った苗ポット１０が移動したとき、その給苗位置の２本の苗ポット１０の間に２本の苗ポット１０が配設されるピッチで回転駆動し、該苗ポット１０の底部に弁体３０を設け、該弁体３０は、回動支点である支点ピン３２を介して回動自在に連結して、前記ポット連体２４の下方にそのポット連体２４に対応する長円状のレール３１を設けると共に、前記各弁体３０にレール３１との接触部である二種類のローラ３３を交互に設け、前記レール３１は苗搬送時には、前記各弁体３０を接触部であるローラ３３を介して閉保持し、植付け開孔器１２、１３の上方に対応する二箇所で、前記植付け開孔器１２、１３に給苗する位置のみ途切れ、且つ、前記レール３１の途切れ部に対応して左右の植付け開孔器１２、１３による隣接する２条同時の植付けが行われ、前記各植付け条で選択給苗を行うように、前記各弁体３０を開くことを特徴とするものである。
【発明の効果】
【０００８】
以上実施例から明らかなように本発明の移植機によれば次のような効果が得られる。
先ず請求項１記載のものによれば、次のａ〜ｆの構成、即ち、
ａ：  エンジン１及び走行ミッションケース２等を搭載する機体フレーム３を、左右前輪４左右後輪５の四輪で支持すると共に、後部に操縦ハンドル６を備えたこと、
及び、四輪歩行型の走行機体を構成し、玉ねぎの苗７を４条植付ける畦８を四輪４５で跨いでそれに沿って走行しながら畦８面への植付けを行うこと、
ｂ：  給苗部９の各苗ポット１０の下部にリンクプレート２２を嵌合し、その各リンクプレート２２を連結ピン２３により連結すると共に、該リンクプレート２２に支点ピン３２を介して弁体３０を開閉可能に枢支して、多数の苗ポット１０を無端状に連結してなるポット連体２４を形成したこと、
ｃ：  ポット連体２４は、前記操縦ハンドル６の内側にて垂直に立設する駆動軸２５と従動軸２７の平行な垂直２軸間に係合体である駆動及び従動スプロケット２８、２９を介して装着され且つ、植付けミッションケース１８から駆動軸２５に伝えられる動力で植付け部１１の左右の植付け開孔器１２、１３の昇降動作に関連させて回転駆動され且つ、前記操縦ハンドル６の上方からその一側に張り出すように機体左右方向に長い長円形状に張設されたこと、
ｄ：  ポット連体２４の下方に長円状のレール３１を設けたこと、
ｅ：  機体後部の給苗部９に設けられた前記多数の円筒形の苗ポット１０へ作業者が手作業で苗７を１株ずつ投入して行くことにより、その給苗部９下方の植付け部１１に各条の隣接する２条の条間と同じ間隔で左右に並べて設けられ植付け部１１の一側に設けられて、植付けミッションケース１８から伝えられる動力で駆動される駆動機構１９と、その駆動機構１９と反対側の植付け部１１の一側に設けられるガイドレール２０によって、縦長の楕円軌跡２１で昇降させ、くちばし形の左右の植付け開孔器１２、１３を下降時に閉じ、上昇時に開き、左右の植付け開孔器１２、１３にその最上昇位置で受入れた苗７の畦８面への植付けを行うようにした植付け開孔器１２、１３へ給苗部９の各苗ポット１０から、前記弁体３０が下方に開き自動的に苗７が落とされ、左右の植付け開孔器１２、１３による隣接する２条同時の植付けが行われること、
ｆ：  機体後部下方の覆土部１４に設けられた１条分が左右一対で２条分の覆土輪１５、１６により、畦８に植付けられた苗７への覆土及び鎮圧が行われるようにしたこと、
から、次のような効果が得られるのであって、
即ち、各苗ポット１０から植付け開孔器１２、１３への給苗位置の間隔を極めて短い間隔に設定でき、端から１条目と２条目及び３条目と４条目の隣接する２条の同時植付が可能となり、その隣接する２条の条間を安定させることができ、収穫機での作業が行い易くなるのであり、また作業者から各苗ポット１０への給苗位置を接近させることができ、短株間移植や高速移植でも適正に対応させることができ、高い作業能率が得られる。
そして、特に上記ｂ及びｃの構成から、ポット連体２４の各苗ポット１０が駆動及び従動スプロケット２８、２９により左右の植付け開孔器１２、１３の昇降動作に関連して確実に回転駆動されるものとなり、また二人の作業者によりポット連体２４の各苗ポット１０に苗７を投入する処理が支障なく行えるようになるのである。
【０００９】
また請求項２記載のものによれば、次のａ〜ｃの構成、即ち、
ａ：  それぞれ連結した苗ポット１０を長円状に形成してなるポット連体２４を回転駆動しながら、苗ポット１０に苗７を挿入して、一つの連続したポット連体２４の移動方向に向かって左右前後で交互に並設配置開口した複数の途切れ部で複数の苗を同時に複数の植付け開孔器１２、１３内に投入し、該植付け開孔器１２、１３を畝中へ移動して開いて移植する野菜移植機であること、
ｂ：  ポット連体２４は多数個の苗ポット１０…と該苗ポット１０…を連結するポット連結部により構成してあること、
ｃ：  多数個の苗ポット１０…はポット連結部の搬送方向の前後両側にリンクプレート２２…の連結部を配置して隣接する苗ポット１０…連結部間において一方のリンクプレート２２…と他方のリンクプレート２２…とを平面視重複配置し、該一方のリンクプレート２２…および他方のリンクプレート２２…の連結部上方より連結ピン２３…を挿入して互いに回動自在に枢結され、機体フレーム３上の左右両側に配置した駆動スプロケット２８と従動スプロケット２９にリンクプレート２２上方の円筒形の苗ポット１０…の円筒部が係合して巻回し一連の無端体とした長円状に連結し、一連の無端長円状の左右方向の直線部分が前記各スプロケット２８、２９の前後に構成され、各苗ポット１０…の苗ポット１０…連結部間の連結箇所である一方のリンクプレート２２…および他方のリンクプレート２２…の下方には、前記多数個の苗ポット１０…の下面を蓋する弁体３０…を設け、該弁体３０の回動支点である回動支持部としての支点ピン３２、該回動支持部に挿入される支点ピン３２を搬送方向と直交する水平方向に枢支し、該ポット連体２４の搬送方向前側に弁体３０の前部を枢支し、該それぞれの弁体３０…の後部には左右側の一側にこの弁体３０を一つの連続した長円形状のレール３１の搬送方向前後に開口した複数の途切れ部３４ａ、３４ｂで同時に開閉させるためのローラー３３を搬送方向と同一方向に揺動させ且つローラ３３を前記弁体３０に左右ローラ３３ａ、３３ｂとして交互に付設し、左右方向に長い前記レール３１上を旋回転動するようにしてあること、
から、次のような効果が得られるのであって、
即ち、各苗ポット１０から植付け開孔器１２、１３への給苗位置の間隔を極めて短い間隔に設定でき、端から１条目と２条目及び３条目と４条目の隣接する２条の同時植付が可能となり、その隣接する２条の条間を安定させることができ、収穫機での作業が行い易くなるのであり、また作業者から各苗ポット１０への給苗位置を接近させることができ、短株間移植や高速移植でも適正に対応させることができ、高い作業能率が得られる。
そして、特に上記ｃの項に記載されているように、多数個の苗ポット１０…は機体フレーム３上の左右両側に配置した駆動スプロケット２８と従動スプロケット２９にリンクプレート２２上方の円筒形の苗ポット１０…の円筒部が係合して巻回し一連の無端体とした長円状に連結した構成としてあることから、多数個の苗ポット１０…は駆動スプロケット２８と従動スプロケット２９で的確に送り移動されるものとなり、また回動支持部に挿入される支点ピン３２を搬送方向と直交する水平方向に枢支した構成としたことから、ポット連体２４の回転変位に関連して弁体３０…が的確に開閉動作されるものとなる。
【００１０】
また請求項３記載のものによれば、次のａ〜ｄの構成、即ち、
ａ：  長円状に連結した苗ポット１０を前記操縦ハンドル６の内側にて垂直に立設する駆動軸２５と従動軸２７の平行な垂直２軸間に係合体である駆動及び従動スプロケット２８、２９を介して前記ポット連体２４を、前記操縦ハンドル６の上方からその一側に張り出すように、機体左右方向に長い長円形状に張設し、長円状に連結してなるポット連体２４を回転駆動しながら、苗ポット１０に苗７を挿入して、一つの連続した長円形状のレール３１の苗ポット１０の移動方向に向かって左右前後に並設配置開口した複数の途切れ部で複数の苗を同時に複数の植付け開孔器１２、１３内に投入し、該植付け開孔器１２、１３を畝中へ移動して開いて移植する野菜移植機であること、
ｂ：  ポット連体２４は多数個の苗ポット１０とポット連結部により構成し、該多数個の苗ポット１０はリンクプレート２２を連結することで無端状にされたポット連体２４とされ、操縦ハンドル６の上方からその一側に張出すように、駆動スプロケット２８と従動スプロケット２９を介して機体左右方向に長い長円形状に張設し、各苗ポット１０を操縦ハンドル６の後方に位置する作業者の前から前記植付け部１１の左右の植付け開孔器１２、１３の上方を通過させて該左右の植付け開孔器１２、１３の上方の給苗位置にそれぞれ苗７が入った苗ポット１０が移動したとき、その給苗位置の２本の苗ポット１０の間に２本の苗ポット１０が配設されるピッチで回転駆動すること、
ｃ：  苗ポット１０の底部に弁体３０を設け、該弁体３０は、回動支点である支点ピン３２を介して回動自在に連結して、前記ポット連体２４の下方にそのポット連体２４に対応する長円状のレール３１を設けると共に、前記各弁体３０にレール３１との接触部である二種類のローラ３３を交互に設けたこと、
ｄ：  前記レール３１は苗搬送時には、前記各弁体３０を接触部であるローラ３３を介して閉保持し、植付け開孔器１２、１３の上方に対応する二箇所で、前記植付け開孔器１２、１３に給苗する位置のみ途切れ、且つ、前記レール３１の途切れ部に対応して左右の植付け開孔器１２、１３による隣接する２条同時の植付けが行われ、前記各植付け条で選択給苗を行うように、前記各弁体３０を開く構成としたこと、
から、次のような効果が得られるのであって、
即ち、各苗ポット１０から植付け開孔器１２、１３への給苗位置の間隔を極めて短い間隔に設定でき、端から１条目と２条目及び３条目と４条目の隣接する２条の同時植付が可能となり、その隣接する２条の条間を安定させることができ、収穫機での作業が行い易くなるのであり、また作業者から各苗ポット１０への給苗位置を接近させることができ、短株間移植や高速移植でも適正に対応させることができ、高い作業能率が得られる。
そして、特に上記ｂの項に記載したように、ポット連体２４は左右の植付け開孔器１２、１３の上方の給苗位置にそれぞれ苗７が入った苗ポット１０が移動したとき、その給苗位置の２本の苗ポット１０の間に２本の苗ポット１０が配設されるピッチで回転駆動する構成としたことから、苗ポット１０は作業者による苗７の投入が的確に行えるものとなると共に左右の植付け開孔器１２、１３が１条目と２条目及び３条目と４条目の隣接する２条の同時植付に適する間隔に位置されるものとなるほか、各苗ポット１０内に投入された苗７がそれぞれの植付け開孔器１２、１３に確実に供給されるものとなる。
【００１１】
さらには、請求項１〜３に記載したようにレール３１を設けることにより、簡単な構造で各苗ポット１０から植付け開孔器１２、１３への給苗を適正に行うことができるのであり、また請求項２及び３に記載したようにレール３１及びローラ３３を設けたことにより、ポット連体２４の回転駆動を振動や騒音を押さえて円滑に行うことができると共に、ローラ３３が重りの役目を果たし、各弁体３０の開きを速く、かつ安定させることができ、短株間移植や高速移植に対応できるのである。
【発明を実施するための最良の形態】
【００１２】
以下、本発明の実施例を図面に基づいて詳述する。図１は玉ねぎ移植機の全体平面図、図２は同全体側面図であり、本実施例の玉ねぎ移植機は、エンジン１及び走行ミッションケース２等を搭載する機体フレーム３を、左右前輪４と左右後輪５の四輪で支持すると共に、後部に操縦ハンドル６を備え、四輪歩行型の走行機体を構成し、玉ねぎの苗７を４条（進行方向に向かって右からＡ条、Ｂ条、Ｃ条、Ｄ条という）植付ける畦８を四輪４、５で跨いでそれに沿って走行しながら、機体後部の給苗部９に設けられた多数の円筒形の苗ポット１０へ作業者が手作業で苗７を１株ずつ投入して行くことにより、その給苗部９下方の植付け部１１にＡ条とＢ条及びＣ条とＤ条の隣接する２条の条間と同じ間隔で左右に並べて設けられた植付け開孔器１２、１３へ給苗部９の各苗ポット１０から自動的に苗７が落とされ、左右の植付け開孔器１２、１３による隣接する２条同時の植付けが行われ、さらに機体後部下方の覆土部１４に設けられた１条分が左右一対で２条分の覆土輪１５、１６により、畦８に植付けられた苗７への覆土及び鎮圧が行われる。
【００１３】
図３乃至図６及び図８に示すように、前記植付け部１１の左右の植付け開孔器１２、１３は、連結ロッド１７により連結されて一つの植付けユニットに構成され、植付け部１１の一側に設けられて、植付けミッションケース１８から伝えられる動力で駆動される駆動機構１９と、その駆動機構１９と反対側の植付け部１１の一側に設けられるガイドレール２０によって、縦長の楕円軌跡２１で昇降させ、くちばし形の左右の植付け開孔器１２、１３を下降時に閉じ、上昇時に開き、左右の植付け開孔器１２、１３にその最上昇位置で受入れた苗７の畦８面への植付けを行うように構成している。
【００１４】
図７乃至図１０に示すように、前記給苗部９の各苗ポット１０は、その苗ポット１０下部にリンクプレート２２を嵌合し、多数の各苗ポット１０…を機体左右方向に長い長円形状に形成するようにその各苗ポット１０…下部に嵌合した各リンクプレート２２…を連結する連結ピン２３により連結して、多数の苗ポット１０…を無端状に連結してなるポット連体２４を形成するもので、前記操縦ハンドル６の内側にて垂直に立設する駆動軸２５と、前記操縦ハンドル６からこの一側に突出支持させるテンションフレーム２６の内側にて垂直に立設する従動軸２７の平行な垂直２軸間に係合体である駆動スプロケット２８及び従動スプロケット２９を介して前記苗ポット１０を多数連結したポット連体２４を、前記操縦ハンドル６の上方からその一側に張り出すように、機体左右方向に長い長円形状に張設し、植付けミッションケース１８から駆動軸２５に伝えられる動力でポット連体２４を図７の矢印方向に、植付け部１１の左右の植付け開孔器１２、１３の昇降動作に関連させて間欠的に回転駆動し、各苗ポット１０を操縦ハンドル６の後方に位置する作業者の前から前記植付け部１１の左右の植付け開孔器１２、１３の上方を通過させて再び操縦ハンドル６の後方に位置する作業者の前に戻るように移動させ、操縦ハンドル６の後方に位置する作業者一人、或いはその作業者と操縦ハンドル６の一側に張り出すポット連体２４の後方に位置する作業者二人で、各苗ポット１０に苗７を投入するように構成している。
【００１５】
また、前記ポット連体２４の各苗ポット１０の底部に一端をリンクプレート２２に支点ピン３２を介して開閉回動自在に連結した弁体３０を設けると共に、前記ポット連体２４の下方にそのポット連体２４に対応する長円形状のレール３１を設けるもので、前記各弁体３０は、その各弁体３０の他端一側に前記レール３１との接触部であるローラ３３を回転自在に取付け、植付け部１１の左右の植付け開孔器１２、１３に対する給苗時以外の苗７搬送時に、各弁体３０をローラ３３を介して閉保持するように構成している。
【００１６】
また、各苗ポット１０の移動方向に向かって各弁体３０の他端左側に取付けるローラ３３ａと他端右側に取付けるローラ３３ｂの二種類を交互に設ける一方、前記レール３１には植付け部１１の左右の植付け開孔器１２、１３の上方に対応する二箇所に途切れ部３４ａ、３４ｂを設け、左の植付け開孔器１２、１３の上方に対応する箇所に設けた一方の途切れ部３４ａで、一方のローラ３３ａによる弁体３０のみの閉保持を解除してその弁体３０を下方に開き、その弁体３０を取付けた苗ポット１０内の苗７を左の植付け開孔器１２に落とし込み、右の植付け開孔器１３の上方に対応する箇所に設けた他方の途切れ部３４ｂで、他方のローラ３３ｂによる弁体３０のみの閉保持を解除してその弁体３０を下方に開き、その弁体３０を取付けた苗ポット１０内の苗７を右の植付け開孔器１３に落とし込み、左右の植付け開孔器１２、１３への選択給苗を行うように構成している。
【００１７】
そして、左右の植付け開孔器１２、１３の上方の給苗位置にそれぞれ苗７が入った苗ポット１０が移動したとき、その給苗位置の２本の苗ポット１０の間に２本の苗ポット１０が配設されるピッチで、前記ポット連体２４は多数の苗ポット１０を連結してなり、そのポット連体２４を苗ポット２本分ずつ間欠的に回転駆動し、空の苗ポット１０が給苗位置に移動しないように構成している。
【００１８】
また、各途切れ部３４ａ、３４ｂの終端部には、その途切れ部３４ａ、３４ｂで閉保持が解除された弁体３０のローラ３３ａ、３３ｂをレール３１の上面に乗り上げさせる登り傾斜のガイド部３５ａ、３５ｂを設けている。
而して、植付け部１１の左右の植付け開孔器１２、１３が最上昇位置に移動するタイミングに合わせてポット連体２４の各苗ポット１０をレール３１の途切れ部３４ａ、３４ｂに間欠移動させ、最上昇位置の左右の植付け開孔器１２、１３に対して給苗を行うものである。
【００１９】
図１１乃至図１３に示す如く、前記覆土部１４の左右一対で左右に２組に設ける覆土輪１５、１６は、スイングフレーム５０、覆土フレーム５１を介して操縦ハンドル６の支持フレーム５２に連結させたもので、覆土フレーム５１略中央の後部フレーム５３にスイングフレーム５０の中央フレーム５０ａを下部支点軸５４を介して左右揺動自在に支持させ、畦８の中央部に対して左右両側に下り傾斜に形成する畦面８ａに、覆土輪１５、１６を常に沿わせる状態に接地させると共に、覆土フレーム５１に立設させるアーム５５に対し、アーム５５より左右外側に配置させる左右の規制体５６をスイングフレーム５０に設け、スイングフレーム５０の一定以上の揺動を規制体５６で規制するように構成している。
【図面の簡単な説明】
【００２０】
【図１】玉ねぎ移植機の全体平面図
【図２】玉ねぎ移植機の全体側面図
【図３】植付け開孔器の外観図
【図４】植付け部の側面図
【図５】植付け部の平面図
【図６】植付け開孔器の昇降軌跡図
【図７】給苗部の平面図
【図８】給苗部の給苗位置の背面図
【図９】給苗部の給苗位置の拡大背面図
【図１０】給苗部の給苗位置の拡大平面図
【図１１】覆土部の背面図
【図１２】覆土部の側面図
【図１３】覆土部の拡大背面図
【符号の説明】
【００２１】
１  エンジン
２  走行ミッションケース
３  機体フレーム
４  前輪
５  後輪
６  操縦ハンドル
７  苗
８  畦
９  給苗部
１０  苗ポット
１１  植付け部
１２  植付け開孔器
１３  植付け開孔器
１４  覆土部
１５  覆土輪
１６  覆土輪
１８  植付けミッションケース
１９  駆動機構
２０  ガイドレール
２１  楕円軌跡
２２  リンクプレート
２３  連結ピン
２４  ポット連体
２５  駆動軸
２７  従動軸
２８  スプロケット
２９  スプロケット
３０  弁体
３１  レール
３２  支点ピン
３３  ローラー
３３ａ  左ローラー
３３ｂ  右ローラー
【図１】
2004201697.tif 000003
【図２】
2004201697.tif 000004
【図３】
2004201697.tif 000005
【図４】
2004201697.tif 000006
【図５】
2004201697.tif 000007
【図６】
2004201697.tif 000008
【図７】
2004201697.tif 000009
【図８】
2004201697.tif 000010
【図９】
2004201697.tif 000011
【図１０】
2004201697.tif 000012
【図１１】
2004201697.tif 000013
【図１２】
2004201697.tif 000014
【図１３】
2004201697.tif 000015